(57)【要約】【課題】  ３種類以上の面を選択的に表側にして着用することができるリバーシブル衣服を提供する。【解決手段】  互いに重ねて縫い合わされ両面着用可能に仕立てられた第一衣服片２４と第二衣服片２６、及び第一衣服片２４と第二衣服片２６の縫い合わせ部である襟刳２０の一部に縫い付けられた第三衣服片２８を有する。第一衣服片２４と第二衣服片２６の縫い合わせ部である襟刳２０は、第一衣服片２４と第二衣服片２６の裏面同士が合わせて重ねられ、縫い代が互いの間に折り込まれて生地端が覆われて処理されている。襟刳２０には、第一衣服片２４と第二衣服片２６の間に挟まれた一枚以上の第三衣服片２８が取り付けられる。第一衣服片２４と第二衣服片２６、及び第三衣服片２８は、選択的に表側にして着用可能される。【選択図】図１
2006200053.tif 000002
【特許請求の範囲】
【請求項１】
互いに重ねて縫い合わされ両面着用可能に仕立てられた第一衣服片と第二衣服片、及び前記第一衣服片と前記第二衣服片の縫い合わせ部の一部に縫い付けられた第三衣服片が設けられ、前記第一衣服片と前記第二衣服片、及び前記第三衣服片を選択的に表側にして着用可能としたことを特長とするリバーシブル衣服。
【請求項２】
前記第一衣服片と前記第二衣服片の前記縫い合わせ部は、前記第一衣服片と前記第二衣服片の裏面同士が合わせて重ねられ、縫い代が互いの間に折り込まれて生地端が覆われて処理され、身体が挿通される開口部の周縁部に位置する一つの前記縫い合わせ部に、前記第一衣服片と前記第二衣服片の間に挟まれた一枚以上の前記第三衣服片が取り付けられていることを特徴とする請求項１記載のリバーシブル衣服。
【請求項３】
前記第一衣服片、前記第二衣服片及び前記第三衣服片は、色、柄、素材、及び機能のうちの少なくとも一つが異なる生地で作られていることを特徴とする請求項１または２記載のリバーシブル衣服。
【請求項４】
前記第一衣服片、前記第二衣服片及び前記第三衣服片は、同様の素材の生地で作られていることを特徴とする請求項１または２記載のリバーシブル衣服。
【発明の詳細な説明】
【技術分野】
【０００１】
この発明は、１着で複数の面を外側にして着用可能なリバーシブル衣服に関する。
【背景技術】
【０００２】
従来、表と裏の両方が着用可能なリバーシブルの衣服がある。このような衣服は、表生地と裏生地が重ねられて縫い合わされているものや、表と裏の両面が外面として着用可能な一枚の生地で作られているものがある。表生地と裏生地が重ねられて作られているものは、各生地の裏面同士を合わせて重ねられ、縫い代が互いの間に折り込まれて生地端のほつれが見えないよう覆われて処理され、表と裏のいずれから見ても見苦しくないように作られている。
【０００３】
例えば特許文献１に開示されたリバーシブル衣服は、表裏両面を着用可能とし、さらに前身頃の襟刳と後身頃の襟刳を、いずれも前襟刳として着用することができる深さ、形状の襟刳としたものである。これによれば、襟の形が２種類で生地の種類が２種類の、計４種類のデザインの衣服として利用できる。また、特許文献２に開示されている両面着用可能服は、表裏両面を着用可能とし、さらに前面布と後面布を、同一寸法、型に裁断し縫い合わせられている。これによれば、前後の区別なしに好きな面の模様を前にして着用することができ、また表と裏のどちらの面を表にしても着用可能であることから、計４種類のデザインの衣服として利用できる。
【特許文献１】登録実用新案登録第３０４９０６６号公報
【特許文献２】特開２００１−１９２９０５号公報
【発明の開示】
【発明が解決しようとする課題】
【０００４】
上記従来の技術の場合、表生地と裏生地のいずれかを表側にして着用することができるだけで、表側に出せる面は基本的に２種類しかないものであった。従って、用途に合わせて面を変えることができるのは、２通りのパターンのみであった。
【０００５】
本発明は、上記従来の技術の問題点に鑑みてなされたものであり、３種類以上の面を選択的に表側にして着用することができるリバーシブル衣服を提供することを目的とする。
【課題を解決するための手段】
【０００６】
この発明は、互いに重ねて縫い合わされ両面着用可能に仕立てられた第一衣服片と第二衣服片、及び前記第一衣服片と前記第二衣服片の縫い合わせ部の一部に縫い付けられた第三衣服片が設けられ、前記第一衣服片と前記第二衣服片、及び前記第三衣服片を選択的に表側にして着用可能としたリバーシブル衣服である。
【０００７】
さらに、前記第一衣服片と前記第二衣服片の前記縫い合わせ部は、前記第一衣服片と前記第二衣服片の裏面同士が合わせて重ねられ、縫い代が互いの間に折り込まれて生地端が覆われて処理され、身体が挿通される開口部の周縁部に位置する一つの前記縫い合わせ部に、前記第一衣服片と前記第二衣服片の間に挟まれた一枚以上の前記第三衣服片が取り付けられている。
【０００８】
前記第一衣服片、前記第二衣服片及び前記第三衣服片は、色、柄、素材、及び機能のうちの少なくとも一つが異なる生地で作られているものである。または、前記第一衣服片、前記第二衣服片及び前記第三衣服片は、同様の素材の生地で作られていても良い。
【発明の効果】
【０００９】
本発明のリバーシブル衣服は、３枚以上の衣服片を選択的に表側にして着用することができ、球技の試合では対抗する２チームと、その他審判員やゴールキーパーに、それぞれ異なる衣服片を着用させて区別することができる。また、リバーシブル衣服に例えば汗を吸着させる場合は、汗で濡れた衣服片を外側にして快適に着用し、衣服片は３枚以上設けられるため汗の吸着量がより多くなり、着用感を向上させることができる。
【発明を実施するための最良の形態】
【００１０】
以下、この発明の実施形態について図面に基づいて説明する。図１、図２はこの発明の一実施形態を示すもので、この実施形態のリバーシブル衣服は、上半身に着用するベスト１０である。ベスト１０は、前身頃１２と後身頃１４が肩１６と脇１８で縫い合わされて設けられ、首を通す襟刳２０と、腕を通す一対の袖刳２２、裾２３が開口部となって設けられている。
【００１１】
ベスト１０には、前身頃１２と後身頃１４が肩１６と脇１８であらかじめ縫い合わされて作られた第一衣服片２４が設けられている。そして第一衣服片２４と同形の第二衣服片２６が、異なる色や柄または素材の生地で作られている。第一衣服片２４と第二衣服片２６は、襟刳２０、袖刳２２、裾２３が縫い合わせ部として互いに縫い合わされ、さらに襟刳２０は、後述する第三衣服片２８とともに縫われている。
【００１２】
また、第一衣服片２４、第二衣服片２６とほぼ同形の第三衣服片２８が、さらに異なる色や柄または素材の生地で作られている。ただし、この実施形態では第三衣服片２８は、裾２３が、第一衣服片２４、第二衣服片２６の裾２３よりも短く形成されている。第三衣服片２８と、第一衣服片２４と第二衣服片２６の縫い合わせ部は襟刳２０のみに設けられている。
【００１３】
第一衣服片２４と第二衣服片２６の袖刳２２の縫い合わせ方は、まず互いに生地の表面が重ねられた状態で、糸２７で縫い合わせ、その後生地を裏返して裏面同士を対面させる。これにより、縫い代が互いの間に折り込まれて生地端のほつれが見えないように覆われ、表と裏のいずれから見ても見苦しくないように処理される。また、第一衣服片２４、第二衣服片２６及び第三衣服片２８の、襟刳２０での縫い合わせ方は、図２に示すように、第一衣服片２４と第二衣服片２６の表面が互いに対面した間に第三衣服片２８が挟まれた状態で、糸２７で縫われている。このとき第三衣服片２８の表面は第一衣服片２４に面するように位置する。その後、第一衣服片２４と第二衣服片２６の生地を裏返して裏面同士を対面させる。これにより、縫い代が互いの間に折り込まれて生地端が見えないように覆われ、表と裏のいずれから見ても見苦しくないように処理される。第三衣服片２８は、第一衣服片２４と第二衣服片２６のどちら側にも重なるように自由に移動可能である。そして最後に、第一衣服片２４と第二衣服片２６の裾２３を縫い合わせる。ここでは、裾端縁部を互いに生地の表面が重ねられた状態にして内側に折り返し、裾２３の縁部を糸２７で縫い合わせる。
【００１４】
次に、この実施形態のベスト１０の使用方法について説明する。まず、図１（ａ）に示すように第一衣服片２４を表側にして着用する場合、第二衣服片２６がその裏側に位置し、さらに第二衣服片２６の身体側に、第三衣服片２８が位置した状態で着用する。また、図２（ｂ）に示すように第三衣服片２８を表側にして着用する場合、（ａ）の状態から襟刳２０または裾２３を通過して前身頃１２と後身頃１４を引き出して表裏を逆にし、第一衣服片２４が裏側に、第二衣服片２６が表側に位置するようにし、第二衣服片２６の表面に第三衣服片２８が位置するようにして着用する。さらに、図１（ｃ）に示すように第二衣服片２６を表側にして着用する場合、図１（ｂ）の状態から、表側に位置する第三衣服片２８を、襟刳２０を通過して第一衣服片２４の身体側に入れた状態にして着用する。
【００１５】
この実施形態のベスト１０使用方法としては、例えば同一団体や学校内でバスケットボールやサッカー等の球技を行う場合、一方のチームの競技者に第一衣服片２４を着せ、他方のチームの競技者に第二衣服片２６を着せる。そして審判員やサッカーのゴールキーパーに第三衣服片２６を着せ、区別する。これにより、この実施形態の１種類のユニフォームを揃えるだけで、２チームの選手と審判等を区別して着用することが可能となり、校内試合等で各々の選手の位置関係が明確になり、また反則などの判定を行いやすくなる。その他、ホームゲーム用のユニフォームとアウェイ用のユニフォームとを、一着のユニフォームで用意することができ、また、第三衣服片２８を吸汗用として設けることもでき、経済的に高機能のユニフォームを作ることができる。
【００１６】
また、この実施形態のベスト１０は、第一衣服片２４、第二衣服片２６、第三衣服片２８のいずれも同じ柄等にして、汗を吸収したり、汚れたりすると、内側と外側の衣服片を代えて着用することにより、常時快適に着用可能な衣服とすることができる。例えば、運動等を行って発汗し汗が身体側の一枚目の衣服片に吸収されてぬれると、表と裏を交換して二枚目または三枚目の衣服片を身体側に当てて着用し、これを３枚の衣服片で繰り返して着用すると良い。
【００１７】
その他、第一衣服片２４、第二衣服片２６、第三衣服片２８の生地は、機能が異なる素材で作っても良い。例えば、接触冷感素材、滑り易い素材、肌触りの良い素材等で作り、状況に合わせた衣服片を選択して身体側に当たるように着用する。これにより、気候や身体の動きに適した衣服を着用することができる。
【００１８】
この実施形態のベスト１０によれば、第一衣服片２４、第二衣服片２６、第三衣服片２８の３枚の柄や機能を有し、状況に合わせて選択的に衣服片を着用することができる。これにより、気候や身体の動きに適した衣服を着用し、機能性を高め、快適に過ごすことができる。
【００１９】
さらに、第一衣服片２４、第二衣服片２６、第三衣服片２８の縫い合わせ部は、どの衣服片が表側にきても生地端が出ることがなく、すっきりとした外観となる。また、第三衣服片２８を複数枚設けることで、４枚以上の衣服片を設けることができる。
【００２０】
なお、この発明のリバーシブル衣服は、図３に示すように下半身に着用するパンツ３０でも良い。パンツ３０は、前パンツ３２と後パンツ３４が、脇３６と股下３８で縫い合わされて設けられ、ウエスト部４０と裾４２が開口部となって設けられている。
【００２１】
パンツ３０には、前パンツ３２と後パンツ３４があらかじめ縫い合わされて作られた第一衣服片４４が設けられている。そして第一衣服片４４と同形の第二衣服片４６が、異なる色や柄または素材の生地で作られている。第一衣服片４４と第二衣服片４６は、ウエスト部４０と裾４２で互いに縫い合わされている。
【００２２】
また第一被服片４４、第二衣服片４６とほぼ同形の第三衣服片４８が、さらに異なる色や柄または素材の生地で作られている。ただし、第三衣服片４８は、裾４２が第一被服片４４、第二衣服片４６の裾４２よりも長く形成されている。第三衣服片４８と、第一衣服片４４と第二衣服片４６の縫い合わせ部はウエスト部４０であり、縫い合わせ方は、第一衣服片４４、第二衣服片４６の表面が互いに対面しその間に第三衣服片４８が挟まれた状態で、糸２７で縫われている。このとき第三衣服片４８の表面は第一衣服片４４に重なるように位置している。その後、第一衣服片４４と第二衣服片４６の生地を裏返して、裏面同士が対面するようにする。これにより、縫い代が互いの間に折り込まれて生地端のほつれが見えないように覆われ、表と裏のいずれから見ても見苦しくないように処理される。第三衣服片４８は、第一衣服片４４と第二衣服片４６のどちら側にも自由に移動することができる。
【００２３】
次にこの実施形態のパンツ３０の使用方法について説明する。まず、図３（ａ）に示すように第一衣服片４４を表側にして着用する場合、第二衣服片４６が裏側に位置し、さらに第二衣服片４６の身体側に第三衣服片４８が位置している。また、図２（ｂ）に示すように第三衣服片４８を表側にして着用する場合、図２（ａ）の状態から、ウエスト部４０を通過して前パンツ３２と後パンツ３４を引き出して表裏を逆にし、第一衣服片４４が裏側に、第二衣服片４６が表側に位置するようにして、第二衣服片４６の表面に第三衣服片４８を位置させる。さらに、図３（ｃ）に示すように第二衣服片４６を表側にして着用する場合、図２（ｂ）の状態から、表側に位置する第三衣服片４８を、ウエスト部４０を通過して第一衣服片４４の身体側に入れる。
【００２４】
このパンツ３０は、ベスト１０と同様に各衣服片を入れ替えて使用され、ベスト１０とパンツ３０を同時に着用しても良い。また、ベスト１０とパンツ３０の表側に位置する衣服片は、同じ色でも異なる色でも良く、ベスト１０と同様の効果を有するものである。
【００２５】
なお、この発明のリバーシブル衣服は、上記実施の形態に限定されるものではなく、衣服片は、第三衣服片を複数枚設けて４枚以上の衣服片を有するものとしても良い。また、ベストやズボン以外に、Ｔシャツ形、スカート形など、自由にデザインすることができ、裾の長さも自由に変更可能で、各衣服片の裾が同じ長さでも異なっていても良い。
【図面の簡単な説明】
【００２６】
【図１】この発明の一実施形態のリバーシブル衣服のベストを示し、第一衣服片を表側にした正面図（ａ）、第三衣服片を表側にした正面図（ｂ）、第二衣服片を表側にした正面図（ｃ）である。
【図２】この実施形態の衣服片の縫い合わせ部を示す断面図である。
【図３】この発明の他の実施形態のリバーシブル衣服であるパンツを示し、第一衣服片を表側にした正面図（ａ）、第三衣服片を表側にした正面図（ｂ）、第二衣服片を表側にした正面図（ｃ）である。
【符号の説明】
【００２７】
１０  ベスト
１２  前身頃
１４  後身頃
１６  肩
１８  脇
２０  襟刳
２２  袖刳
２４  第一衣服片
２６  第二衣服片
２８  第三衣服片
【図１】
2006200053.tif 000003
【図２】
2006200053.tif 000004
【図３】
2006200053.tif 000005